(57)【要約】【課題】装置構成を簡略化し、装置の小形化を図るとともに、コストの低減を図る。【解決手段】実施形態の蓄電池システムは、複数の蓄電池セルを有する電池ユニットと、ヒューズ素子を有し、電池ユニットの高電位側の充放電経路に設けられたアクティブヒューズユニットと、電池ユニットの過充電検出時あるいは充電過電流検出時にアクティブヒューズユニットを制御して、充放電経路を遮断する制御部と、充放電経路に設けられた放電制御ＦＥＴユニットと、を備えている。【選択図】図１
2020195192.tif 000002
【特許請求の範囲】
【請求項１】
複数の蓄電池セルを有する電池ユニットと、
ヒューズ素子を有し、前記電池ユニットの高電位側の充放電経路に設けられたアクティブヒューズユニットと、
前記電池ユニットの過充電検出時あるいは充電過電流検出時に前記アクティブヒューズユニットを制御して、前記充放電経路を遮断する制御部と、
前記充放電経路に設けられた放電制御ＦＥＴユニットと、
を備えた蓄電池システム。
【請求項２】
前記アクティブヒューズユニットを構成する前記ヒューズ素子の溶断電流経路に設けられ、前記制御部の制御下で前記アクティブヒューズユニットを構成するヒューズ素子を溶断するための電流を流すアクティブヒューズ駆動部を備えた、
請求項１記載の蓄電池システム。
【請求項３】
前記制御部は、前記電池ユニットの過放電検出時あるいは放電過電流検出時に前記放電制御ＦＥＴユニットを制御して、前記充放電経路を遮断する、
請求項１又は請求項２記載の蓄電池システム。
【請求項４】
前記放電制御ＦＥＴユニットは、前記アクティブヒューズユニットの高電位側あるいは前記電池ユニットの低電位側のいずれか一方に設けられている、
請求項１乃至請求項３のいずれか一項記載の蓄電池システム。
【請求項５】
短絡による前記電池ユニットの放電過電流が発生した場合には、前記ヒューズ素子が溶断されることにより、前記充放電経路を遮断する、
請求項１乃至請求項４のいずれか一項記載の蓄電池システム。
【請求項６】
前記制御部とは独立して動作可能であり、前記蓄電池セルの電圧を監視して、前記電池ユニットの過充電時に前記アクティブヒューズユニットを制御して、前記充放電経路を遮断する第２保護ユニットを備えた、
請求項１乃至請求項５のいずれか一項記載の蓄電池システム。
【請求項７】
前記電池ユニットを監視し、前記電池ユニットの過充電、充電過電流、過放電あるいは放電過電流を検出するバッテリ監視ユニットを備えた、
請求項１乃至請求項６のいずれか一項記載の蓄電池システム。
【請求項８】
前記バッテリ監視ユニットは、前記制御部が停止状態にある場合に、前記電池ユニットの間欠監視を行い、前記電池ユニットに異常が検出された場合に、前記制御部を起動する、
請求項７記載の蓄電池システム。
【請求項９】
前記放電制御ＦＥＴユニットを導通状態とするＦＥＴドライバユニットと、
前記放電制御ＦＥＴユニットが非導通状態で、前記電池ユニットに流れる充電電流を検出した場合に、前記ＦＥＴドライバユニットを駆動し、前記放電制御ＦＥＴユニットを導通状態とさせる充電電流検出部と、
を備えた、
請求項１乃至請求項８のいずれか一項記載の蓄電池システム。
【請求項１０】
複数の蓄電池セルを有する電池ユニットと、ヒューズ素子を有し、前記電池ユニットの高電位側の充放電経路に設けられたアクティブヒューズユニットと、前記充放電経路に設けられた放電制御ＦＥＴユニットと、を備えた蓄電池システムで実行される方法であって、
前記電池ユニットの過充電あるいは充電過電流を検出する過程と、
前記過充電あるいは前記充電過電流の検出時に前記アクティブヒューズユニットに前記ヒューズ素子を溶断する電流を流して、前記充放電経路を遮断する過程と、
を備えた方法。
【請求項１１】
複数の蓄電池セルを有する電池ユニットと、ヒューズ素子を有し、前記電池ユニットの高電位側の充放電経路に設けられたアクティブヒューズユニットと、前記充放電経路に設けられた放電制御ＦＥＴユニットと、を備えた蓄電池システムをコンピュータにより制御するためのプログラムであって、
前記コンピュータを、
前記電池ユニットの過充電あるいは充電過電流を検出する手段と、
前記過充電あるいは前記充電過電流の検出時に前記アクティブヒューズユニットに前記ヒューズ素子を溶断する電流を流して、前記充放電経路を遮断する手段と、
して機能させるプログラム。
【発明の詳細な説明】
【技術分野】
【０００１】
本発明の実施形態は、蓄電池システム、方法及びプログラムに関する。
【背景技術】
【０００２】
従来、蓄電池システムにおいて、蓄電池及び蓄電池システム全体を保護するために主回路ヒューズとＦＥＴによる遮断機構を設けていた。
例えば、従来技術においては、放電方向の保護(過電流、過放電、外部短絡含む)は、放電制御ＦＥＴと主回路ヒューズを設けることで保護し、同様に、充電方向の保護（過電流・過充電等）は、２直列に接続された充電制御ＦＥＴを設けることで、それぞれ二重の保護が実現されていた。
【先行技術文献】
【特許文献】
【０００３】
【特許文献１】特開２０１５−０３５９２５号公報
【発明の概要】
【発明が解決しようとする課題】
【０００４】
しかしながら、比較的大きな電流を扱うシステムにおいては、放電制御用のＦＥＴ及び充電制御用のＦＥＴは、通電容量の大きなＦＥＴを３〜４並列で用いる必要があり、装置構成が複雑化、大型化するとともに、装置製造コストが高くなるという虞があった。
【０００５】
本発明は、上記に鑑みてなされたものであって、装置構成を簡略化し、装置の小形化を図るとともに、コストの低減を図ることが可能な蓄電池システム、方法及びプログラムを提供することにある。
【課題を解決するための手段】
【０００６】
実施形態の蓄電池システムは、複数の蓄電池セルを有する電池ユニットと、ヒューズ素子を有し、前記電池ユニットの高電位側の充放電経路に設けられたアクティブヒューズユニットと、前記電池ユニットの過充電検出時あるいは充電過電流検出時に前記アクティブヒューズユニットを制御して、前記充放電経路を遮断する制御部と、前記充放電経路に設けられた放電制御ＦＥＴユニットと、を備えている。
【図面の簡単な説明】
【０００７】
【図１】図１は、実施形態のバッテリシステムの一例の原理説明図である。
【図２】図２は、従来のバッテリシステムの概要構成ブロック図である。
【図３】図３は、より具体的な実施形態のバッテリシステムの一例の説明図である。
【図４】図４は、通常運転モードにおける放電過電流検出時の動作フローチャートである。
【図５】図５は、低消費電力モードにおける放電過電流検出時の動作フローチャートである。
【図６】図６は、出荷モード及び低消費電力モードにおける充電過電流検出時の動作フローチャートである。
【図７】図７は、通常運転モードにおける充電過電流検出時の動作フローチャートである。
【図８】図８は、出荷モード及び低消費電力モードにおける過充電検出時の動作フローチャートである。
【図９】図９は、通常運転モードにおける過充電検出時の動作フローチャートである。
【図１０】図１０は、第２保護ＩＣによる過充電検出処理の処理フローチャートである。
【図１１】図１１は、出荷モード及び低消費電力モードにおける過放電検出時の動作フローチャートである。
【図１２】図１２は、通常運転モードにおける過放電検出時の動作フローチャートである。
【図１３】図１３は、実施形態の第１変形例の説明図である。
【図１４】図１４は、実施形態の第２変形例の説明図である。
【発明を実施するための形態】
【０００８】
次に好適な実施形態について図面を参照して説明する。
図１は、実施形態のバッテリシステムの一例の原理説明図である。
蓄電池システム１０は、大別すると、バッテリユニット１１、シャント抵抗１２、アクティブヒューズユニット１３、アクティブヒューズ駆動回路１４、放電制御ＦＥＴ１５、ＦＥＴドライバ１６、上位インタフェース（Ｉ／Ｆ）１７、バッテリ監視ＩＣ１８、第２保護ＩＣ１９及びＭＰＵ２０を備えている。
【０００９】
上記構成において、アクティブヒューズユニット１３及び放電制御ＦＥＴ１５は、高電位側電源ラインＨＬにおいて、直列に接続されており、シャント抵抗の低電位側端子は、低電位側電源ラインＬＬに接続されている。
そして、高電位側電源ラインＨＬ及び低電位側電源ラインＬＬに負荷装置ＬＤが接続されることとなる。
【００１０】
バッテリユニット１１は、直列接続された複数の電池セル２１を備えている。
シャント抵抗１２は、電流検出用の抵抗器である。
アクティブヒューズユニット１３は、電流流路に直列に挿入された一対のヒューズ素子２２−１、２２−２と、一対のヒューズ素子２２−１、２２−２の接続点に一端が接続され、他端がアクティブヒューズ駆動回路１４に接続されたヒーター部２３と、を備えている。
【００１１】
アクティブヒューズ駆動回路１４は、ゲート端子ＧがＭＰＵ２０に接続され、ソース端子Ｓが接地され、ドレイン端子がヒーター部２３に接続された第１ＭＯＳＦＥＴ２４−１と、ゲート端子Ｇが第２保護ＩＣ１９に接続され、ソース端子Ｓが接地され、ドレイン端子がヒーター部２３に接続された第２ＭＯＳＦＥＴ２４−２と、を備えている。
【００１２】
ここで、第１ＭＯＳＦＥＴ２４−１及び第２ＭＯＳＦＥＴ２４−２は、ＮチャネルＭＯＳＦＥＴである。
放電制御ＦＥＴ１５は、ゲート端子がＦＥＴドライバ１６に接続され、ドレイン端子Ｄがヒューズ素子２２−２に接続され、ソース端子Ｓが負荷装置ＬＤの高電位側電源端子ＴＰに接続されている。
【００１３】
この放電制御ＦＥＴ１５は、製品への組み込み（負荷装置ＬＤへの接続）前に短絡が発生しないように設けられている。
ＦＥＴドライバ１６は、ＭＰＵ２０の制御下で、放電制御ＦＥＴ１５を駆動する。
上位インタフェース１７は、ＣＡＮ（Controller  Area  Network）プロトコルを用いて負荷装置ＬＤと通信を行う際の通信インタフェース動作を行う。
バッテリ監視ＩＣ１８は、ＭＰＵ２０の制御下でバッテリユニット１１の状態（各電池セルの電圧、温度、充放電電流等）をモニタする。
【００１４】
第２保護ＩＣ１９は、ＭＰＵ２０とは独立してバッテリユニット１１が過充電であるか否かの状態を監視し、過充電が検出された場合には、アクティブヒューズ駆動回路１４を駆動してアクティブヒューズユニット１３の制御を行うことにより、バッテリユニット１１の保護の冗長化を図っている。
この第２保護ＩＣ１９は、バッテリユニット１１が接続された以降は、動作モードに限らず、バッテリユニット１１を構成している電池セル２１のセル電圧を監視し続ける。すなわち、第２保護ＩＣ１９は、過充電検出におけるＭＰＵ２０の冗長系を構成しており、検出閾値は、ＭＰＵ２０の検出閾値（判定電圧）より高く設定している。
【００１５】
ＭＰＵ２０は、蓄電池システム１０全体の制御を行うとともに、バッテリ監視ＩＣ１８を介してバッテリユニット１１の状態をモニタし、放電制御ＦＥＴ１５及びアクティブヒューズ駆動回路１４の制御を行う。
さらにＭＰＵ２０は、アクティブヒューズユニット１３における電圧を常時モニタリングし、健全性を常時確認している。
【００１６】
次に実施形態の動作について説明する。
まず、実施形態の動作に先立ち、従来システムの問題点について説明する。
図２は、従来のバッテリシステムの概要構成ブロック図である。
従来のバッテリシステム２００は、大別すると、バッテリユニット２０１、シャント抵抗２０２、主回路ヒューズ２０３、充電制御ＦＥＴ２０４−１、２０４−２、放電制御ＦＥＴ２０５、ＦＥＴドライバ２０６、上位インタフェース２０７、絶縁トランス２０８、バッテリ監視ＩＣ２０９及びＭＰＵ２１０を備えている。
【００１７】
上記構成において、ＭＰＵ２１０は、絶縁トランス２０８及び上位インタフェースを介して負荷装置ＬＤと通信を行いつつ、バッテリ監視ＩＣ２０９によりバッテリユニット２０１の状態（各電池セルの電圧、温度、充放電電流等）をモニタする。
【００１８】
そして、放電過電流が発生した場合には、ＭＰＵ２１０がＦＥＴドライバユニット２０６を介して放電制御ＦＥＴ２０５を遮断し、あるいは、短絡時には、主回路ヒューズ２０３が溶断することにより遮断して保護を行うようにされていた。
また、充電過電流が発生した場合には、ＭＰＵ２１０がＦＥＴドライバユニット２０６を介して充電制御ＦＥＴ２０４−１、２０４−２を遮断して保護を行うようにされていた。
【００１９】
同様に、過充電時には、バッテリ監視ＩＣ２０９が過充電を検出し、その旨をＭＰＵ２１０に通知することで、ＭＰＵ２１０がＦＥＴドライバユニット２０６を介して充電制御ＦＥＴ２０４−１、２０４−２を遮断して保護を行うようにされていた。
【００２０】
また、過放電時には、バッテリ監視ＩＣ２０９が過放電を検出し、その旨をＭＰＵ２１０に通知することで、ＭＰＵ２１０がＦＥＴドライバユニット２０６を介して放電制御ＦＥＴ２０５を遮断して保護を行うようにされていた。
【００２１】
上述したように、従来システムにおいては、主回路ヒューズ２０３と、充電制御ＦＥＴ２０４−１、２０４−２及び放電制御ＦＥＴ２０５による遮断機構を設けることとなっていたが、比較的大きな電流を扱うシステムにおいては、放電・充電制御用のＦＥＴとしては、通電容量の大きなＦＥＴを３〜４並列に接続して構成する必要があり、装置構成及び装置規模が大きくなるとともに、製造コストも高くなる虞れがあった。
【００２２】
上記従来のシステム構成に対し、本実施形態のバッテリシステムは、放電過電流に対しては、放電制御ＦＥＴ１５を遮断し、あるいは、短絡時には、アクティブヒューズユニット１３を構成しているヒューズ素子２２−１、２２−２を溶断することにより遮断して保護を行うようにし、過放電に対しては、放電制御ＦＥＴ１５を遮断して保護を行うようにしている。
【００２３】
また、充電過電流に対しては、アクティブヒューズユニット１３を構成しているヒューズ素子２２−１、２２−２を溶断することにより遮断して保護を行うようにし、過充電に対しては、アクティブヒューズユニット１３を構成しているヒューズ素子２２−１、２２−２を溶断することにより遮断して保護を行うようにしてする。
【００２４】
したがって、充電制御ＦＥＴに代えて、比較的電流容量の大きなヒューズ素子２２−１、２２−２を設けることにより同様の保護機能を実現できるので、装置構成及び装置規模を小さくできるとともに、製造コストも低減することが可能となっている。
【００２５】
次により具体的な実施形態について説明する。
図３は、より具体的な実施形態のバッテリシステムの一例の説明図である。
図３において、図１と同様の部分には、同一の符号を付すものとする。
蓄電池システム１０は、大別すると、バッテリユニット１１、シャント抵抗１２、アクティブヒューズユニット１３Ａ、アクティブヒューズ駆動回路１４Ａ、放電制御ＦＥＴユニット１５Ａ、ＦＥＴドライバ１６Ａ、上位インタフェース（Ｉ／Ｆ）１７、バッテリ監視ＩＣ１８、第２保護ＩＣ１９、ＭＰＵ２０、ロジック回路２５、電源回路３１、充電電流検出回路３２及び常時オン電源回路３３を備えている。
【００２６】
上記構成において、アクティブヒューズユニット１３及び放電制御ＦＥＴ１５は、高電位側電源ラインＨＬにおいて、直列に接続されており、シャント抵抗１２の低電位側端子は、低電位側電源ラインＬＬに接続されている。
そして、高電位側電源ラインＨＬ及び低電位側電源ラインＬＬに負荷装置ＬＤが接続されることとなる。
【００２７】
バッテリユニット１１は、直列接続された複数の電池セル２１を備えている。
シャント抵抗１２は、電流検出用の抵抗器である。
アクティブヒューズユニット１３Ａは、電流流路に直列に挿入された一対のヒューズ素子２２−１Ａ、２２−１Ｂと、一対のヒューズ素子２２−１Ａ、２２−１Ｂの接続点に一端が接続され、他端がアクティブヒューズ駆動回路１４Ａに接続されたヒーター部２３Ａと、を備えている。
【００２８】
さらにアクティブヒューズユニット１３Ａは、電流容量を確保するために、一対のヒューズ素子２２−１Ａ、２２−１Ｂと並列に接続され、電流流路に直列に挿入された一対のヒューズ素子２２−２Ａ、２２−２Ｂと、一対のヒューズ素子２２−２Ａ、２２−２Ｂの接続点に一端が接続され、他端がアクティブヒューズ駆動回路１４Ａに接続されたヒーター部２３Ｂと、を備えている。
【００２９】
アクティブヒューズ駆動回路１４Ａは、ゲート端子ＧがＭＰＵ２０に接続され、ソース端子Ｓが接地され、ドレイン端子がヒーター部２３Ａに接続された第１ＭＯＳＦＥＴ２４−１Ａと、ゲート端子Ｇが第２保護ＩＣ１９に接続され、ソース端子Ｓが接地され、ドレイン端子がヒーター部２３Ａに接続された第２ＭＯＳＦＥＴ２４−２Ａと、を備えている。
【００３０】
さらにアクティブヒューズ駆動回路１４Ａは、ゲート端子ＧがＭＰＵ２０に接続され、ソース端子Ｓが接地され、ドレイン端子がヒーター部２３Ｂに接続された第１ＭＯＳＦＥＴ２４−１Ｂと、ゲート端子Ｇが第２保護ＩＣ１９に接続され、ソース端子Ｓが接地され、ドレイン端子がヒーター部２３Ｂに接続された第２ＭＯＳＦＥＴ２４−２Ｂと、を備えている。
【００３１】
放電制御ＦＥＴユニット１５Ａは、ゲート端子がＦＥＴドライバ１６Ａに接続され、ドレイン端子Ｄがヒューズ素子２２−１Ｂ及びヒューズ素子２２−２Ｂに接続され、ソース端子Ｓが負荷装置ＬＤの高電位側電源端子ＴＰに接続されている放電制御ＦＥＴ１５Ａ−１と、ゲート端子がＦＥＴドライバ１６Ａに接続され、ドレイン端子Ｄがヒューズ素子２２−２Ａ及びヒューズ素子２２−２Ｂに接続され、ソース端子Ｓが負荷装置ＬＤの高電位側電源端子ＴＰに接続されている放電制御ＦＥＴ１５Ａ−２と、を備えている。
【００３２】
この放電制御ＦＥＴ１５Ａ−１及び放電制御ＦＥＴ１５Ａ−２は、製品への組み込み（負荷装置ＬＤへの接続）前に短絡が発生しないように設けられている。
ＦＥＴドライバ１６Ａは、ＭＰＵ２０の制御下で、放電制御ＦＥＴユニット１５Ａを構成している放電制御ＦＥＴ１５Ａ−１及び放電制御ＦＥＴ１５Ａ−２を駆動する。
【００３３】
上位インタフェース１７は、ＣＡＮプロトコルを用いて負荷装置ＬＤと通信を行う際の通信インタフェース動作を行う。
バッテリ監視ＩＣ１８は、ＭＰＵ２０の制御下でバッテリユニット１１の状態（各電池セルの電圧、温度、充放電電流等）をモニタする。
【００３４】
本実施形態では、バッテリ監視ＩＣ１８は、ＭＰＵ２０が停止している状態であっても、定期的に起動し、電池セル２１の状態、主回路電流、温度等を間欠的に監視する機能を有しており、間欠監視において、異常を検出した場合にはフォールト検出信号ＳＦＬを電源回路３１及びＭＰＵ２０に出力し、電源回路３１を起動して、システム電源をＭＰＵ２０に供給させるとともに、ＭＰＵ２０を起動させる。
【００３５】
第２保護ＩＣ１９は、ＭＰＵ２０とは独立してバッテリユニット１１が過充電であるか否かの状態を監視し、過充電が検出された場合には、アクティブヒューズ駆動回路１４を駆動してアクティブヒューズユニット１３の制御を行うことにより、バッテリユニット１１の保護の冗長化を図っている。
【００３６】
この第２保護ＩＣ１９は、バッテリユニット１１が接続された以降は、動作モードに限らず、バッテリユニット１１を構成している電池セル２１のセル電圧を監視し続ける。すなわち、第２保護ＩＣ１９は、過充電検出におけるＭＰＵ２０の冗長系を構成しており、検出閾値は、ＭＰＵ２０の検出閾値（判定電圧）より高く設定している。
【００３７】
ロジック回路２５は、常時オン電源回路３３から常時オン用電源が供給されているともに、ラッチ回路等を備えており、ＭＰＵ２０がスタンバイ状態となっている場合でも、常時オン用電源によりＦＥＴドライバ１６Ａを駆動して、放電制御ＦＥＴ１５Ａをオン状態とできるようになっている。
【００３８】
ここで、実施形態の動作モードについて説明する。
実施形態の蓄電池システムは、以下の三つの動作モードを有している。
通常運転モード、低消費電力モード及び出荷モードである。
【００３９】
通常運転モードにおいては、蓄電池システム１０は、図示しない電源スイッチがオン状態であり、放電制御ＦＥＴ１５は、導通状態（オン状態）とされている。
さらに制御部としてのＭＰＵ２０は、動作状態、バッテリ監視ＩＣ１８は、常時監視状態であり、上位インタフェース１７は、オン状態で、負荷装置ＬＤとの通信が可能な状態となっている。
【００４０】
低消費電力モードにおいては、蓄電池システム１０は、電源スイッチがオン状態であり、放電制御ＦＥＴ１５は、導通状態（オン状態）とされている。
さらに制御部としてのＭＰＵ２０は、停止状態（スタンバイ状態）、バッテリ監視ＩＣ１８は、間欠監視状態であり、上位インタフェース１７は、オフ状態で、負荷装置ＬＤとの通信は不能な状態となっている。
【００４１】
出荷モードにおいては、蓄電池システム１０は、電源スイッチがオフ状態であり、放電制御ＦＥＴ１５は、非導通状態（オフ状態）とされている。
さらに制御部としてのＭＰＵ２０は、停止状態（スタンバイ状態）、バッテリ監視ＩＣ１８は、間欠監視状態であり、上位インタフェース１７は、オフ状態で、負荷装置ＬＤとの通信は不能な状態となっている。
【００４２】
次に実施形態の動作を説明する。
［１］放電過電流時の動作
この場合において、出荷モードにおいては、放電制御ＦＥＴがオフ状態であるので、放電過電流は発生しないので、通常運転モード及び低消費電力モードにおける動作を説明する。
【００４３】
［１．１］通常運転モード
図４は、通常運転モードにおける放電過電流検出時の動作フローチャートである。
この場合において、放電制御ＦＥＴ１５は、ＭＰＵ２０によりＦＥＴドライバ１６を介してオン状態になっているものとする。
ＭＰＵ２０は、バッテリ監視ＩＣ１８及びシャント抵抗１２を介して放電電流の電流モニタを常時行っている（ステップＳ１１）。
【００４４】
そして、ＭＰＵ２０は、電流モニタによる電流値（電流モニタ値）が、所定の放電過電流閾値以上の状態が所定時間（所定の放電過電流判定用の基準時間）以上継続した状態となっているか否かを判断する（ステップＳ１２）。
【００４５】
ステップＳ１２の判断において、電流モニタによる電流値（電流モニタ値）が、放電過電流閾値を基準時間以上継続して流れた状態となっている場合には（ステップＳ１２；Ｙｅｓ）、ＭＰＵは、ＦＥＴドライバ１６を介して放電制御ＦＥＴ１５をオフ状態として放電過電流を遮断する（ステップＳ１３）。
そして、放電制御ＦＥＴ１５が完全にオフ状態に遷移する所定時間が経過したら（ステップＳ１４）、シャットダウンして処理を終了する（ステップＳ１５）。
【００４６】
［１．２］低消費電力モード
図５は、低消費電力モードにおける放電過電流検出時の動作フローチャートである。
この場合において、ＭＰＵ２０は、低消費電力モードでスタンバイ状態になっているものとする。
また、ロジック回路２５は、常時オン電源回路３３から常時オン用電源が供給されており、この常時オン用電源によりロジック回路２５を構成している図示しないラッチ回路等によりＦＥＴドライバ１６は駆動状態となって、ＭＰＵ２０がスタンバイ状態になっているにもかかわらず、放電制御ＦＥＴ１５は、常時オン状態になっているものとする。
【００４７】
低消費電力モードにおいては、バッテリ監視ＩＣ１８は、シャント抵抗を介した放電電流の電流モニタを間欠的に行っている（ステップＳ２１）。
例えば、バッテリ監視ＩＣ１８は、電流モニタを数秒おきに行っている。
【００４８】
そして、バッテリ監視ＩＣ１８は、電流モニタによる電流値（電流モニタ値）が、ＭＰＵ２０の起動が必要とされる所定のＭＰＵ起動電流閾値以上の状態となっているか否かを判断する（ステップＳ２２）。
【００４９】
ステップＳ２２の判断において、電流モニタによる電流値（電流モニタ値）が、ＭＰＵ起動電流閾値未満の状態である場合には（ステップＳ２２；Ｎｏ）、処理を再びステップＳ２１に移行し、待機状態となる。
【００５０】
ステップＳ２２の判断において、電流モニタによる電流値（電流モニタ値）が、ＭＰＵ起動電流閾値以上である場合には（ステップＳ２２；Ｙｅｓ）、バッテリ監視ＩＣ１８は、例えば、ウェイクアップ信号を電源回路３１に出力し、電源回路３１が起動用の電源をＭＰＵ２０に供給することでＭＰＵ２０を起動させ、通常動作モードに移行させる（ステップＳ２３）。
【００５１】
これにより、ＭＰＵ２０は、バッテリ監視ＩＣ１８及びシャント抵抗を介して放電電流の電流モニタを開始し（ステップＳ２４）、電流モニタによる電流値（電流モニタ値）が、所定の放電過電流閾値以上の状態が所定時間（所定の放電過電流判定用の基準時間）以上継続した状態となっているか否かを判断する（ステップＳ２５）。
【００５２】
ステップＳ２５の判断において、電流モニタによる電流値（電流モニタ値）が、放電過電流閾値を基準時間以上継続して流れた状態となっている場合には（ステップＳ２５；Ｙｅｓ）、ＭＰＵは、ＦＥＴドライバ１６を介して放電制御ＦＥＴ１５をオフ状態として放電過電流を遮断する（ステップＳ２６）。
そして、放電制御ＦＥＴ１５が完全にオフ状態に遷移する所定時間が経過したら（ステップＳ２７）、シャットダウンして処理を終了する（ステップＳ２８）。
【００５３】
一方、ステップＳ２５の判断において、電流モニタによる電流値（電流モニタ値）が、放電過電流閾値を基準時間以上継続して流れていない場合には（ステップＳ２５；Ｎｏ）、動作のばたつき（チャタリング）を避けるための所定時間が経過したら（ステップＳ２９）、ＭＰＵ２０は、再び動作モードを低消費電力モードに移行し（ステップＳ３０）、スタンバイ状態に移行し、再び処理をステップＳ２１に移行する。
【００５４】
［１．３］まとめ
以上の説明のように、通常運転モードあるいは低消費電力モードのいずれにおいても、放電過電流が検出された場合には、ＭＰＵ２０が放電制御ＦＥＴ１５をオフ状態とすることで、放電過電流による影響を低減しつつシャットダウン状態に移行することができる。
【００５５】
［２］充電過電流時の動作
この場合においては、出荷モード及び低消費電力モードと、通常運転モードとでは、処理の流れが異なるので、まず、出荷モード及び低消費電力モードにおける動作を説明する。
【００５６】
［２．１］出荷モード及び低消費電力モード
図６は、出荷モード及び低消費電力モードにおける充電過電流検出時の動作フローチャートである。
この場合において、出荷モードの場合には、放電制御ＦＥＴ１５Ａ（＝放電制御ＦＥＴ１５Ａ−１及び放電制御ＦＥＴ１５Ａ−１）は、オフ状態となっているものとし、ＭＰＵ２０は、スタンバイ状態になっているものとする。さらに、放電制御ＦＥＴ１５Ａを駆動するＦＥＴドライバ１６Ａには、充電電流検出回路３２からウェイクアップ信号が入力可能となっており、放電制御ＦＥＴ１５Ａがオフ状態（非導通状態）の場合に、外部の充電装置が接続され、放電制御ＦＥＴ１５Ａのボディダイオードに充電電流が流れて発熱するのを防止すべく、強制的に放電制御ＦＥＴ１５Ａをオン状態（導通状態）とするようにされている。したがって、出荷モードで充電過電流が検出された場合には、放電制御ＦＥＴＡは、オン状態となっている。
また、低消費電力モードの場合には、放電制御ＦＥＴ１５は、ＭＰＵ２０によりＦＥＴドライバ１６を介してオン状態になっているものとし、ＭＰＵ２０は、スタンバイ状態になっているものとする。
【００５７】
出荷モード及び低消費電力モードにおいては、バッテリ監視ＩＣ１８は、シャント抵抗を介した充電電流の電流モニタを間欠的に行っている（ステップＳ４１）。
例えば、バッテリ監視ＩＣ１８は、電流モニタを数秒おきに行っている。
【００５８】
そして、バッテリ監視ＩＣ１８は、電流モニタによる電流値（電流モニタ値）が、ＭＰＵ２０の起動が必要とされる所定のＭＰＵ起動電流閾値以上の状態となっているか否かを判断する（ステップＳ４２）。
【００５９】
ステップＳ４２の判断において、電流モニタによる電流値（電流モニタ値）が、ＭＰＵ起動電流閾値未満の状態である場合には（ステップＳ４２；Ｎｏ）、処理を再びステップＳ４１に移行し、待機状態となる。
【００６０】
ステップＳ４２の判断において、電流モニタによる電流値（電流モニタ値）が、ＭＰＵ起動電流閾値以上である場合には（ステップＳ４２；Ｙｅｓ）、バッテリ監視ＩＣ１８は、例えば、ウェイクアップ信号を電源回路３１に出力し、電源回路３１が起動用の電源をＭＰＵ２０に供給することでＭＰＵ２０を起動させ、通常動作モードに移行させる（ステップＳ４３）。
【００６１】
これにより、ＭＰＵ２０は、バッテリ監視ＩＣ１８及びシャント抵抗を介して充電電流の電流モニタを開始し（ステップＳ４４）、電流モニタによる電流値（電流モニタ値）が、所定の充電過電流閾値以上の状態が所定時間（所定の充電過電流判定用の基準時間）以上継続した状態となっているか否かを判断する（ステップＳ４５）。
【００６２】
ステップＳ４５の判断において、電流モニタによる電流値（電流モニタ値）が、充電過電流閾値を基準時間以上継続して流れた状態となっている場合には（ステップＳ４５；Ｙｅｓ）、ＭＰＵ２０は、アクティブヒューズ駆動回路をオン状態としてアクティブヒューズユニットのヒューズ素子を溶断すべく第１ＭＯＳＦＥＴ２４をオン状態とし（ステップＳ４６）、ヒューズ素子を溶断するのに十分な所定時間待機する（ステップＳ４７）。
そして、その後、第１ＭＯＳＦＥＴ２４をオフ状態とし（ステップＳ４８）、ＭＰＵ２０は、アクティブヒューズユニット１３Ａの端子電圧モニタを開始する（ステップＳ４９）。
【００６３】
次にＭＰＵ２０は、端子電圧モニタによる電圧値（アクティブヒューズ端子電圧モニタ値）が、所定のアクティブヒューズ溶断判定閾値以下となっているかを判断する（ステップＳ５０）。
【００６４】
ステップＳ５０の判断において、未だ端子電圧モニタによる電圧値（アクティブヒューズ端子電圧モニタ値）が、所定のアクティブヒューズ溶断判定閾値以下となっていない場合には、再び処理をステップＳ４６に移行して、以下、前述と同様の処理を繰り返す。
【００６５】
ステップＳ５０の判断において、端子電圧モニタによる電圧値（アクティブヒューズ端子電圧モニタ値）が、所定のアクティブヒューズ溶断判定閾値以下となっている場合には（ステップＳ５０；Ｙｅｓ）、ヒューズ素子が完全に溶断したと判断可能な所定時間が経過したら（ステップＳ５１）、シャットダウンして処理を終了する（ステップＳ５２）。
【００６６】
一方、ステップＳ４５の判断において、電流モニタによる電流値（電流モニタ値）が、充電過電流閾値を基準時間以上継続して流れていない場合には（ステップＳ４５；Ｎｏ）、動作のばたつき（チャタリング）を避けるための所定時間が経過したら（ステップＳ５３）、ＭＰＵ２０は、再び動作モードを元の動作モード（出荷モードあるいは低消費電力モード）に移行し（ステップＳ５４）、スタンバイ状態に移行し、再び処理をステップＳ４１に移行する。
【００６７】
［２．２］通常運転モード
図７は、通常運転モードにおける充電過電流検出時の動作フローチャートである。
この場合において、放電制御ＦＥＴ１５は、ＭＰＵ２０によりＦＥＴドライバ１６を介してオン状態になっているものとする。
【００６８】
ＭＰＵ２０は、バッテリ監視ＩＣ１８及びシャント抵抗を介して充電電流の電流モニタを常時行っている（ステップＳ６１）。
そして、ＭＰＵ２０は、電流モニタによる電流値（電流モニタ値）が、所定の充電過電流閾値以上の状態が所定時間（所定の充電過電流判定用の基準時間）以上継続した状態となっているか否かを判断する（ステップＳ６２）。
【００６９】
ステップＳ６２の判断において、電流モニタによる電流値（電流モニタ値）が、充電過電流閾値を基準時間以上継続して流れていない場合には（ステップＳ６２；Ｎｏ）、再び処理をステップＳ６１に移行する。
【００７０】
ステップＳ６２の判断において、電流モニタによる電流値（電流モニタ値）が、充電過電流閾値を基準時間以上継続して流れた状態となっている場合には（ステップＳ６２；Ｙｅｓ）、ＭＰＵ２０は、アクティブヒューズ駆動回路をオン状態としてアクティブヒューズユニットのヒューズ素子を溶断すべく第１ＮＭＯＳＦＥＴ２４（＝２４−１Ａ，２４−２Ａ）をオン状態とし（ステップＳ６３）、ヒューズ素子を溶断するのに十分な所定時間待機する（ステップＳ６４）。
【００７１】
そして、その後、第１ＮＭＯＳＦＥＴ２４（＝２４−１Ａ，２４−２Ａ）をオフ状態とし（ステップＳ６５）、ＭＰＵ２０は、アクティブヒューズユニット１３Ａの端子電圧モニタを開始する（ステップＳ６６）。
【００７２】
次にＭＰＵ２０は、端子電圧モニタによる電圧値（アクティブヒューズ端子電圧モニタ値）ＰＭ１、ＰＭ２が、所定のアクティブヒューズ溶断判定閾値以下となっているかを判断する（ステップＳ６７）。
【００７３】
ステップＳ６７の判断において、未だ端子電圧モニタによる電圧値（アクティブヒューズ端子電圧モニタ値）ＰＭ１、ＰＭ２が、所定のアクティブヒューズ溶断判定閾値以下となっていない場合には、再び処理をステップＳ６３に移行して、以下、前述と同様の処理を繰り返す。
【００７４】
ステップＳ６７の判断において、端子電圧モニタによる電圧値（アクティブヒューズ端子電圧モニタ値）ＰＭ１、ＰＭ２が、所定のアクティブヒューズ溶断判定閾値以下となっている場合には（ステップＳ６７；Ｙｅｓ）、ヒューズ素子が完全に溶断したと判断可能な所定時間が経過したら（ステップＳ６８）、シャットダウンして処理を終了する（ステップＳ６９）。
【００７５】
［２．３］まとめ
以上の説明のように、出荷モード、通常運転モードあるいは低消費電力モードのいずれにおいても、充電過電流が検出された場合には、アクティブヒューズのヒューズ素子が溶断されることで、充電過電流による影響を低減しつつシャットダウン状態に移行することができる。
【００７６】
［３］過充電時の動作
この場合においては、出荷モード及び低消費電力モードと、通常運転モードとでは、処理の流れが異なるので、まず、出荷モード及び低消費電力モードにおける動作を説明する。
また、過充電の検出には、第２保護ＩＣによるものがあるので、これについては、後に別途説明する。
【００７７】
［３．１］出荷モード及び低消費電力モード
図８は、出荷モード及び低消費電力モードにおける過充電検出時の動作フローチャートである。
この場合において、出荷モードの場合には、放電制御ＦＥＴ１５Ａ（＝放電制御ＦＥＴ１５Ａ−１及び放電制御ＦＥＴ１５Ａ−１）は、オフ状態となっているものとし、ＭＰＵ２０は、スタンバイ状態になっているものとする。さらに、放電制御ＦＥＴ１５Ａを駆動するＦＥＴドライバ１６Ａには、充電電流検出回路３２からウェイクアップ信号が入力可能となっており、放電制御ＦＥＴ１５Ａがオフ状態（非導通状態）の場合に、外部の充電装置が接続され、放電制御ＦＥＴ１５Ａのボディダイオードに充電電流が流れて発熱するのを防止すべく、強制的に放電制御ＦＥＴ１５Ａをオン状態（導通状態）とするようにされている。したがって、出荷モードで過充電が検出された場合には、放電制御ＦＥＴＡは、オン状態となっている。
また、低消費電力モードの場合には、放電制御ＦＥＴ１５Ａは、ＭＰＵ２０によりＦＥＴドライバ１６Ａを介してオン状態になっているものとし、ＭＰＵ２０は、スタンバイ状態になっているものとする。
【００７８】
出荷モード及び低消費電力モードにおいては、バッテリ監視ＩＣ１８は、電池セル２１の電圧モニタを間欠的に行っている（ステップＳ７１）。
例えば、バッテリ監視ＩＣ１８は、電圧モニタを数秒おきに行っている。
【００７９】
そして、バッテリ監視ＩＣ１８は、電圧モニタによる電圧値（電圧モニタ値）が、ＭＰＵ２０の起動が必要とされる所定のＭＰＵ起動電圧閾値以上の状態となっているか否かを判断する（ステップＳ７２）。
【００８０】
ステップＳ７２の判断において、電圧モニタによる電圧値（電圧モニタ値）が、ＭＰＵ起動電圧閾値未満の状態である場合には（ステップＳ７２；Ｎｏ）、処理を再びステップＳ７１に移行し、待機状態となる。
【００８１】
ステップＳ７２の判断において、電圧モニタによる電圧値（電流モニタ値）が、ＭＰＵ起動電圧閾値以上である場合には（ステップＳ７２；Ｙｅｓ）、バッテリ監視ＩＣ１８は、例えば、ウェイクアップ信号をＭＰＵ２０に出力し、ＭＰＵ２０を起動させ、通常動作モードに移行させる（ステップＳ７３）。
【００８２】
これにより、ＭＰＵ２０は、バッテリ監視ＩＣ１８を介して充電電圧の電圧モニタを開始し（ステップＳ７４）、電圧モニタによる電圧値（電圧モニタ値）が、所定の過充電電圧閾値以上の状態が所定時間（所定の過充電判定用の基準時間）以上継続した状態となっているか否かを判断する（ステップＳ７５）。
【００８３】
ステップＳ７５の判断において、電圧モニタによる電圧値（電圧モニタ値）ＰＭが、充電過電圧閾値以上の状態が基準時間以上継続した状態となっている場合には（ステップＳ７５；Ｙｅｓ）、ＭＰＵ２０は、アクティブヒューズ駆動回路２４−１Ｂ、２４−２Ｂをオン状態としてアクティブヒューズユニット１３Ａのヒューズ素子２２-１Ａ、２２−１Ｂ、２２−２Ａ、２２−２Ｂを溶断すべく第１ＭＯＳＦＥＴ２４（＝２４−１Ａ，２４−２Ａ）をオン状態とし（ステップＳ７６）、ヒューズ素子２２-１Ａ、２２−１Ｂ、２２−２Ａ、２２−２Ｂを溶断するのに十分な所定時間待機する（ステップＳ７７）。
【００８４】
そして、その後、第１ＭＯＳＦＥＴ２４（＝２４−１Ａ，２４−２Ａ）をオフ状態とし（ステップＳ７８）、ＭＰＵ２０は、アクティブヒューズユニット１３Ａの端子電圧モニタを開始する（ステップＳ７９）。
次にＭＰＵ２０は、端子電圧モニタによる電圧値（アクティブヒューズ端子電圧モニタ値）ＰＭ１、ＰＭ２が、所定のアクティブヒューズ溶断判定閾値以下となっているかを判断する（ステップＳ８０）。
【００８５】
ステップＳ８０の判断において、未だ端子電圧モニタによる電圧値（アクティブヒューズ端子電圧モニタ値）ＰＭ１、ＰＭ２が、所定のアクティブヒューズ溶断判定閾値以下となっていない場合には（ステップＳ８０；Ｎｏ）、再び処理をステップＳ７６に移行して、以下、前述と同様の処理を繰り返す。
【００８６】
ステップＳ８０の判断において、端子電圧モニタによる電圧値（アクティブヒューズ端子電圧モニタ値）が、所定のアクティブヒューズ溶断判定閾値以下となっている場合には
ステップＳ８０；Ｙｅｓ）、ヒューズ素子２２-１Ａ、２２−１Ｂ、２２−２Ａ、２２−２Ｂが完全に溶断したと判断可能な所定時間が経過したら（ステップＳ８１）、シャットダウンして処理を終了する（ステップＳ８２）。
【００８７】
一方、ステップＳ７５の判断において、電圧モニタによる電圧値（電圧モニタ値）ＰＭ１、ＰＭ２が、充電過電圧閾値を基準時間以上継続して超えていない場合には（ステップＳ７５；Ｎｏ）、動作のばたつき（チャタリング）を避けるための所定時間が経過したら（ステップＳ８３）、ＭＰＵ２０は、再び動作モードを元の動作モード（出荷モードあるいは低消費電力モード）に移行し（ステップＳ８４）、スタンバイ状態に移行し、再び処理をステップＳ７１に移行する。
【００８８】
［２．２］通常運転モード
図９は、通常運転モードにおける過充電検出時の動作フローチャートである。
この場合において、放電制御ＦＥＴ１５は、ＭＰＵ２０によりＦＥＴドライバ１６を介してオン状態になっているものとする。
ＭＰＵ２０は、バッテリ監視ＩＣ１８を介して充電電圧の電圧モニタを常時行っている（ステップＳ９１）。
【００８９】
そして、ＭＰＵ２０は、電圧モニタによる電圧値（電圧モニタ値）が、所定の充電過電圧閾値以上の状態が所定時間（所定の充電過電圧判定用の基準時間）以上継続した状態となっているか否かを判断する（ステップＳ９２）。
ステップＳ９２の判断において、電圧モニタによる電圧値（電圧モニタ値）が、充電過電圧閾値以上となっている状態が基準時間以上継続していない場合には（ステップＳ９２；Ｎｏ）、再び処理をステップＳ９１に移行する。
【００９０】
ステップＳ９２の判断において、電圧モニタによる電圧値（電圧モニタ値）ＰＭ１、ＰＭ２が、充電過電圧閾値以上となっている状態が基準時間以上継続している場合には（ステップＳ９２；Ｙｅｓ）、ＭＰＵ２０は、アクティブヒューズ駆動回路１４Ａをオン状態としてアクティブヒューズユニットのヒューズ素子を溶断すべく第１ＭＯＳＦＥＴ２４（＝２４−１Ａ，２４−２Ａ）をオン状態とし（ステップＳ９３）、ヒューズ素子を溶断するのに十分な所定時間待機する（ステップＳ９４）。
【００９１】
そして、その後、第ＭＯＳＦＥＴ２４（＝２４−１Ａ，２４−２Ａ）をオフ状態とし（ステップＳ９５）、ＭＰＵ２０は、アクティブヒューズユニット１３Ａの端子電圧モニタを開始する（ステップＳ９６）。
【００９２】
次にＭＰＵ２０は、端子電圧モニタによる電圧値（アクティブヒューズ端子電圧モニタ値）ＰＭ１、ＰＭ２が、所定のアクティブヒューズ溶断判定閾値以下となっているかを判断する（ステップＳ９７）。
【００９３】
ステップＳ９７の判断において、未だ端子電圧モニタによる電圧値（アクティブヒューズ端子電圧モニタ値）ＰＭ１、ＰＭ２が、所定のアクティブヒューズ溶断判定閾値以下となっていない場合には、再び処理をステップＳ９３に移行して、以下、前述と同様の処理を繰り返す。
【００９４】
ステップＳ９７の判断において、端子電圧モニタによる電圧値（アクティブヒューズ端子電圧モニタ値）ＰＭ１、ＰＭ２が、所定のアクティブヒューズ溶断判定閾値以下となっている場合には（ステップＳ９７；Ｙｅｓ）、ヒューズ素子２２-１Ａ、２２−１Ｂ、２２−２Ａ、２２−２Ｂが完全に溶断したと判断可能な所定時間が経過したら（ステップＳ９８）、シャットダウンして処理を終了する（ステップＳ９９）。
【００９５】
［３．３］第２保護ＩＣによる過充電検出
次に第２保護ＩＣ１９による過充電検出について説明する。
この場合において、第２保護ＩＣ１９による過充電検出は、運転モード（通常、低消費電力、出荷）に拘わらず行われるとともに、ＭＰＵ２０の制御とは、独立して行われる。
【００９６】
図１０は、第２保護ＩＣによる過充電検出処理の処理フローチャートである。
まず第２保護ＩＣ１９は、電池ユニットを構成している電池セル２１のそれぞれの電圧（セル電圧）をモニタする（ステップＳ１０１）。
そして第２保護ＩＣ１９は、得られたセル電圧モニタ値が所定時間以上継続して所定の過充電判定閾値以上となっていたか否かを判断する（ステップＳ１０２）。
【００９７】
この場合において、第２保護ＩＣ１９の過充電判定閾値は、ＭＰＵ２０の充電過電圧閾値（例えば、２．８Ｖ）よりも高い電圧（例えば、２．９Ｖ）とされており、ＭＰＵ２０が正常に動作できず保護がなされなかった場合でも、第２保護ＩＣ１９による保護がなされるようになっている。
【００９８】
ステップＳ１０２の判断において、セル電圧モニタ値が所定時間以上継続して所定の過充電判定閾値以上となっていない場合には（ステップＳ１０２；Ｎｏ）、第２保護ＩＣ１９は、処理を再びステップＳ１０１に移行して以下上述した処理を継続する。
【００９９】
ステップＳ１０２の判断において、セル電圧モニタ値が所定時間以上継続して所定の過充電判定閾値以上となっていた場合には（ステップＳ１０２；Ｙｅｓ）、第２保護ＩＣ１９は、アクティブヒューズ駆動回路をオン状態としてアクティブヒューズユニット１３Ａのヒューズ素子２２-１Ａ、２２−１Ｂ、２２−２Ａ、２２−２Ｂを溶断すべく第２ＭＯＳＦＥＴ２４（＝２４−１Ｂ，２４−２Ｂ）をオン状態とし（ステップＳ１０３）、ヒューズ素子を溶断して処理を終了する。
【０１００】
［３．４］まとめ
以上の説明のように出荷モード、通常運転モードあるいは低消費電力モードのいずれにおいても、過充電状態が検出された場合には、ＭＰＵ２０あるいは第２保護ＩＣ１９がアクティブヒューズユニット１３Ａのヒューズ素子２２-１Ａ、２２−１Ｂ、２２−２Ａ、２２−２Ｂを溶断することで、過充電による影響を回避しつつシャットダウン状態に移行することができる。
【０１０１】
［４］過放電時の動作
この場合においては、出荷モードでは、過放電の検出を行っていないので、低消費電力モード及び通常運転モードについて説明する。
ここで、低消費電力モードと、通常運転モードとでは、処理の流れが異なるので、まず、低消費電力モードにおける動作を説明する。
【０１０２】
［４．１］低消費電力モード
図１１は、低消費電力モードにおける過放電検出時の動作フローチャートである。
この場合において、放電制御ＦＥＴ１５は、ＭＰＵ２０によりＦＥＴドライバ１６を介してオン状態になっているものとし、ＭＰＵ２０は、停止状態（スタンバイ状態）になっているものとする。
【０１０３】
低消費電力モードにおいては、バッテリ監視ＩＣ１８は、電池セル２１の電圧モニタを間欠的に行っている（ステップＳ１１１）。
例えば、バッテリ監視ＩＣ１８は、電圧モニタを数秒おきに行っている。
そして、バッテリ監視ＩＣ１８は、電圧モニタによる電圧値（電圧モニタ値）が、ＭＰＵ２０の起動が必要とされる所定のＭＰＵ起動電圧閾値以上の状態となっているか否かを判断する（ステップＳ１１２）。
【０１０４】
ステップＳ１１２の判断において、電圧モニタによる電圧値（電圧モニタ値）が、ＭＰＵ起動電圧閾値を超えている状態である場合には（ステップＳ１１２；Ｎｏ）、処理を再びステップＳ１１１に移行し、待機状態となる。
【０１０５】
ステップＳ１１２の判断において、電圧モニタによる電圧値（電流モニタ値）が、ＭＰＵ起動電圧閾値以下である場合には（ステップＳ１１２；Ｙｅｓ）、バッテリ監視ＩＣ１８は、例えば、ウェイクアップ信号を電源回路３１に出力し、電源回路３１が起動用の電源をＭＰＵ２０に供給することでＭＰＵ２０を起動させ、通常動作モードに移行させる（ステップＳ１１３）。
【０１０６】
これにより、ＭＰＵ２０は、バッテリ監視ＩＣ１８を介して充電電圧の電圧モニタを開始し（ステップＳ１１４）、電圧モニタによる電圧値（電圧モニタ値）ＰＭが、所定の過放電電圧閾値以下の状態が所定時間（所定の過放電判定用の基準時間）以上継続した状態となっているか否かを判断する（ステップＳ１１５）。
【０１０７】
ステップＳ１１５の判断において、電圧モニタによる電圧値（電圧モニタ値）ＰＭが、過放電電圧閾値以上の状態が基準時間以上継続した状態となっている場合には（ステップＳ１１５；Ｙｅｓ）、ＭＰＵ２０は、ＦＥＴドライバ１６Ａを介して、放電制御ＦＥＴユニット１５Ａを構成している放電制御ＦＥＴ２２−１Ａ、２２−２Ａをオフ状態（非導通状態）とし（ステップＳ１１６）、放電制御ＦＥＴ２２−１Ａ、２２−２Ａが確実にオフ状態となるのに十分な所定時間待機する（ステップＳ１１７）。
そして、その後、シャットダウンして処理を終了する（ステップＳ１１８）。
【０１０８】
一方、ステップＳ１１５の判断において、電圧モニタによる電圧値（電圧モニタ値）ＰＭが、過放電電圧閾値以上の状態が基準時間以上継続していない状態となっている場合には（ステップＳ１１５；Ｎｏ）、当該状態が確実に継続していると考えられる所定時間が経過するまで待ち（ステップＳ１１９）、ＭＰＵ２０の起動前の動作モードである低消費電力モードあるいは出荷モードへ移行し、処理を再びステップＳ１１１に移行する。
【０１０９】
［４．１］通常運転モード
図１２は、通常運転モードにおける過放電検出時の動作フローチャートである。
この場合において、放電制御ＦＥＴ１５は、ＭＰＵ２０によりＦＥＴドライバ１６を介してオン状態になっているものとする。
ＭＰＵ２０は、バッテリ監視ＩＣ１８を介して放電電圧の電圧モニタを常時行っている（ステップＳ１３１）。
【０１１０】
そして、ＭＰＵ２０は、電圧モニタによる電圧値（電圧モニタ値）が、所定の過放電電圧閾値以下の状態が所定時間（所定の過放電判定用の基準時間）以上継続した状態となっているか否かを判断する（ステップＳ１３２）。
ステップＳ１３２の判断において、電圧モニタによる電圧値（電圧モニタ値）が、過放電電圧閾値以下となっている状態が基準時間以上継続していない場合には（ステップＳ１３２；Ｎｏ）、再び処理をステップＳ１３１に移行する。
【０１１１】
ステップＳ１３２の判断において、電圧モニタによる電圧値（電圧モニタ値）が、充電過電圧閾値以上となっている状態が基準時間以上継続している場合には（ステップＳ１３２；Ｙｅｓ）、ＭＰＵ２０は、ＦＥＴドライバ１６Ａを介して、放電制御ＦＥＴユニット１５Ａを構成している放電制御ＦＥＴ２２−１Ａ、２２−２Ａをオフ状態（非導通状態）とし（ステップＳ１３３）、放電制御ＦＥＴ２２−１Ａ、２２−２Ａが確実にオフ状態となるのに十分な所定時間待機する（ステップＳ１３４）。
そして、その後、シャットダウンして処理を終了する（ステップＳ１３５）。
【０１１２】
［４．３］まとめ
以上の説明のように、低消費電力モードあるいは通常運転モードのいずれにおいても、過放電状態が検出された場合には、ＭＰＵ２０が放電制御ＦＥＴ１５をオフ状態とすることで、過放電による影響を回避しつつシャットダウン状態に移行することができる。
【０１１３】
図１３は、実施形態の第１変形例の説明図である。
図１３において、図３の実施形態と同様の部分には、同一の符号を付すものとする。
以上の説明においては、放電電流を遮断するための放電制御ＦＥＴ１５をバッテリユニット１１の高電位側（ハイサイド）に設けていたが、本第１変形例の蓄電池システムは、放電制御ＦＥＴ１５Ｂをバッテリユニット１１の低電位側（ロウサイド）に設けている。
また、放電制御ＦＥＴ１５Ｂを駆動するＦＥＴドライバ１６Ｂには、充電電流検出回路３２からウェイクアップ信号が入力可能となっており、放電制御ＦＥＴ１５Ｂがオフ状態（非導通状態）の場合に、外部の充電装置が接続され、ＦＥＴ１５Ｂのボディダイオードに充電電流が流れて発熱するのを防止すべく、強制的に放電制御ＦＥＴ１５Ｂをオン状態（導通状態）とするようにしている。
この構成によれば、保護を確実に行える蓄電池システムを構築することが可能となる。
【０１１４】
図１４は、実施形態の第２変形例の説明図である。
図１４において、図３の実施形態と同様の部分には、同一の符号を付すものとする。
以上の説明においては、放電電流あるいは充電電流を検出するためのシャント抵抗１２をバッテリユニット１１の低電位側（ロウサイド）に設けていたが、本第２変形例の蓄電池システムは、シャント抵抗１２をバッテリユニット１１の高電位側（ハイサイド）に設けている。
この構成によっても、放電電流あるいは充電電流を確実に検出して、保護を確実に行うことができる。
【０１１５】
なお、本実施形態の蓄電池システムで実行されるプログラムは、ＲＯＭ等に予め組み込まれて提供される。
【０１１６】
本実施形態の蓄電池システムで実行されるプログラムは、インストール可能な形式又は実行可能な形式のファイルでＣＤ−ＲＯＭ、ＵＳＢメモリ、メモリカード等の半導体メモリ装置、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１７】
さらに、本実施形態の蓄電池システムで実行されるプログラムを、インターネット等のネットワークに接続されたコンピュータ上に格納し、ネットワーク経由でダウンロードさせることにより提供するように構成しても良い。また、本実施形態の蓄電池システムで実行されるプログラムをインターネット等のネットワーク経由で提供または配布するように構成しても良い。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１９】
１０    蓄電池システム
１１    バッテリユニット
１２    シャント抵抗
１３    アクティブヒューズユニット
１３Ａ  アクティブヒューズユニット
１４、１４Ａ  アクティブヒューズ駆動回路
１５、１５Ａ、１５Ｂ  放電制御ＦＥＴ（ユニット）
１６、１６Ａ、１６Ｂ  ＦＥＴドライバ
１７    上位インタフェース
２０    ＭＰＵ（制御部）
２１    電池セル
２２    ヒューズ素子
２３、２３Ａ、２３Ｂ  電流制限用抵抗
２４    アクティブヒューズ駆動回路
３１    電源回路
３２    充電電流検出回路
３３    常時オン電源回路
ＦＥＴ２２  放電制御ＦＥＴ
１８  バッテリ監視ＩＣ
１９  第２保護ＩＣ
ＬＤ    負荷装置
【図１】
2020195192.tif 000003
【図２】
2020195192.tif 000004
【図３】
2020195192.tif 000005
【図４】
2020195192.tif 000006
【図５】
2020195192.tif 000007
【図６】
2020195192.tif 000008
【図７】
2020195192.tif 000009
【図８】
2020195192.tif 000010
【図９】
2020195192.tif 000011
【図１０】
2020195192.tif 000012
【図１１】
2020195192.tif 000013
【図１２】
2020195192.tif 000014
【図１３】
2020195192.tif 000015
【図１４】
2020195192.tif 000016